(57)【要約】【課題】各種電子機器に使用される開閉装置に関し、部品加工が容易で安価なものを提供することを目的とする。【解決手段】固定体１や可動体１３を収納した外ケース１５内に内ケース１６と１７を装着すると共に、この内ケース１６と１７に可動体１３を軸線方向へ移動可能に保持する溝部１６Ａと１７Ａを設けて開閉装置を構成することによって、外ケース１５及び内ケース１６や１７が簡素な構造となり、鋼や銅合金等の金属板のプレス加工等による製作が可能となるため、部品加工が容易で安価な開閉装置を得ることができる。【選択図】図１
2005163885.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動カムと上記固定カムを弾接させるばねと、これらを収納した略円筒状の外ケースからなり、上記外ケース内に内ケースを装着すると共に、この内ケースに上記可動体を軸線方向へ移動可能に保持する溝部を設けた開閉装置。
【請求項２】
内ケースの溝部を軸線方向に対し傾斜させた請求項１記載の開閉装置。
【請求項３】
外ケースまたは内ケースに各々凸部または凹部を設け、この凸部と凹部によって外ケースに内ケースを固着した請求項１記載の開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、より安価で使い易いものが求められている。
【０００３】
このような従来の開閉装置について、図４〜図６を用いて説明する。
【０００４】
なお、これらの図面の内、断面図は固定カムと可動カムの関係を判り易くするため、径方向を拡大して表わしている。
【０００５】
図５は従来の開閉装置の断面図、図６は同分解斜視図であり、同図において、１は左側面に固定部１Ａが形成された略円筒状で金属製の固定体で、この右側面外周には突出部２Ａ、及びこの突出部２Ａから左右へ延出する二つの傾斜部２Ｂ、２Ｃから形成された固定カム２が設けられている。
【０００６】
そして、３は同じく略円筒状で金属製の可動体で、固定体１に対し開閉方向へ回転可能に配置されると共に、固定カム２との対向面である左側面外周には可動カム４が設けられている。
【０００７】
また、５は略円筒状で焼結合金製の可動ケースで、外周には外方へ突出する壁部５Ａが設けられると共に、内周には可動体３外周の突起３Ａが挿入され、可動体３を軸線方向へ移動可能に保持する溝部５Ｂが設けられている。
【０００８】
さらに、６は可動体３右側面と可動ケース５右底面との間にやや撓んだ状態で装着されたコイル状のばねで、このばね６によって可動体３が左方向へ付勢され、可動カム４の先端が固定カム２の傾斜部２Ｂへ弾接している。
【０００９】
また、７は略円柱状の固定軸で、この固定軸７の左端部に固定体１が固着されると共に、右端部は可動体３の中空部やばね６を挿通し、止め輪８によって可動ケース５右側面に回転可能に装着されている。
【００１０】
そして、可動ケース５左側面から固定体１の固定部１Ａが回転可能に突出し、この固定体１や可動体３、ばね６等が可動ケース５内に収納されて、開閉装置１０が構成されている。
【００１１】
また、このように構成された開閉装置１０は、例えば、図４の携帯電話の斜視図に示すように、固定体１の固定部１Ａが上面に複数のキーからなる操作部２２Ａやマイクロフォン等の音声入力部２２Ｂが形成された固定筐体２２へ、可動ケース５の壁部５Ａが、表面にＬＣＤ等の表示部２３Ａやスピーカ等の音声出力部２３Ｂが形成された可動筐体２３へ各々固着され、開閉装置１０によって固定筐体２２に対して可動筐体２３が開閉可能に軸支されて電子機器が構成される。
【００１２】
以上の構成において、図５に示したように、可動カム４の先端が固定カム２下側の傾斜部２Ｂへ弾接した状態では、可動体３がばね６によって下方向の閉方向へ付勢されているため、可動ケース５が固着された可動筐体２３は、固定筐体２２に対して閉じた状態で保持されている。
【００１３】
そして、この閉状態から、可動筐体２３を手で開くと、可動筐体２３に固着された可動ケース５を介して、突起３Ａを溝部５Ｂに挿入した可動体３が、可動ケース５内を右方向へ移動すると共に、上方向へ回転して、可動カム４先端が固定カム２の突出部２Ａを超えて上側の傾斜部２Ｃへ弾接し、可動体３が上方向の開方向へ付勢されるため、可動筐体２３が開いた状態となる。
【００１４】
つまり、可動筐体２３に固着された可動ケース５を回転させることによって、可動体３を軸線方向へ移動させ、可動カム４先端を固定カム２の傾斜部２Ｂまたは２Ｃのいずれかへ弾接させて、固定筐体２２に対する可動筐体２３の開閉操作が行われるように構成されている。
【００１５】
なお、このように固定カム２へ可動カム４を弾接させ摺動させることによって開閉操作を行っているため、開閉操作によるカムの磨耗や破損を防ぐには、固定体１及び可動体３に所定の硬さや強度が必要となり、これらには一般に鋼や銅合金等の金属が用いられている。
【００１６】
また、可動ケース５には可動筐体２３へ固着するための壁部５Ａや、可動体３を軸線方向へ移動可能に保持するための溝部５Ｂを形成する必要があり、形状に制約が多くプレス加工等では部品製作が困難なため、鉄や銅合金等の金属粉と樹脂粉を混合したものを焼結成形したり、或いは、これに切削加工を行ったりして、可動ケース５は成形されているものであった。
【００１７】
なお、この出願の発明に関連する先行技術文献情報としては、例えば、特許文献１が知られている。
【特許文献１】特開２００２−８９５４２号公報
【発明の開示】
【発明が解決しようとする課題】
【００１８】
しかしながら、上記従来の開閉装置においては、金属粉の焼結成形等によって可動ケース５を形成しているため、部品加工に手間がかかり、開閉装置として高価なものになるという課題があった。
【００１９】
本発明は、このような従来の課題を解決するものであり、部品加工が容易で安価な開閉装置を提供することを目的とする。
【課題を解決するための手段】
【００２０】
上記目的を達成するために本発明は、以下の構成を有するものである。
【００２１】
本発明の請求項１に記載の発明は、固定体や可動体を収納した外ケース内に内ケースを装着すると共に、この内ケースに可動体を軸線方向へ移動可能に保持する溝部を設けて開閉装置を構成したものであり、外ケース及び内ケースを簡素な構造とし、鋼や銅合金等の金属板のプレス加工等によって製作が可能となるため、部品加工が容易で安価な開閉装置を得ることができるという作用を有する。
【００２２】
請求項２に記載の発明は、請求項１記載の発明において、内ケースの溝部を軸線方向に対し傾斜させたものであり、可動体の回転方向への移動を大きくすることができるため、開閉装置の開閉角度を大きなものとすることができるという作用を有する。
【００２３】
請求項３に記載の発明は、請求項１記載の発明において、外ケースまたは内ケースに各々凸部または凹部を設け、この凸部と凹部によって外ケースに内ケースを固着したものであり、外ケースに対して内ケースを、軸線及び回転方向のガタツキ等がなく簡便に装着することができるという作用を有する。
【発明の効果】
【００２４】
以上のように本発明によれば、部品加工が容易で安価な開閉装置を実現することができるという有利な効果が得られる。
【発明を実施するための最良の形態】
【００２５】
以下、本発明の実施の形態について、図１〜図４を用いて説明する。
【００２６】
なお、これらの図面の内、断面図は固定カムと可動カムの関係を判り易くするため、径方向を拡大して表わしている。
【００２７】
また、背景技術の項で説明した構成と同一構成の部分には同一符号を付して、詳細な説明を簡略化する。
【００２８】
（実施の形態）
図１は本発明の一実施の形態による開閉装置の断面図、図２は同分解斜視図であり、同図において、１は左側面に固定部１Ａが形成された略円筒状で鋼や銅合金等の固定体で、この右側面外周には突出部２Ａ、及びこの突出部２Ａから左右へ延出する二つの傾斜部２Ｂ、２Ｃから形成された固定カム２が設けられている。
【００２９】
そして、１３は同じく略円筒状で金属製の可動体で、固定体１に対し開閉方向へ回転可能に配置されると共に、固定カム２との対向面である左側面外周には可動カム１４が、外周には軸線方向に対し傾斜した複数の突起１３Ａが各々設けられている。
【００３０】
また、１５は略円筒状で鋼や銅合金等の金属板製の外ケース、１６と１７は略円弧状で同じく金属板製の内ケースで、二つの内ケース１６と１７が対向して外ケース１５内に装着されると共に、図３の部分斜視図に示すように、内ケース１６と１７には、突起１３Ａが挿入され可動体１３を軸線方向へ移動可能に保持する、軸線方向に対し傾斜した溝部１６Ａと１７Ａが設けられている。
【００３１】
さらに、外ケース１５の外周には外方へ突出する壁部１５Ａが設けられると共に、内ケース１６と１７には外方へ突出する複数の凸部１６Ｂや１６Ｃ、１７Ｂや１７Ｃが設けられ、これらが壁部１５Ａ内周側の凹部１５Ｂに挿入されて、外ケース１５に対して内ケース１６と１７が、軸線及び回転方向への外れやガタツキがないように固着されている。
【００３２】
また、６は可動体１３右側面と外ケース１５右底面との間にやや撓んだ状態で装着されたコイル状のばねで、このばね６によって可動体１３が左方向へ付勢され、可動カム１４の先端が固定カム２の傾斜部２Ｂへ弾接している。
【００３３】
そして、７は略円柱状の固定軸で、この固定軸７の左端部に固定体１が固着されると共に、右端部は可動体１３の中空部やばね６を挿通し、止め輪８によって外ケース１５右側面に回転可能に装着されている。
【００３４】
さらに、外ケース１５左側面からは固定体１の固定部１Ａが回転可能に突出すると共に、この固定体１やばね６、可動体１３を軸線方向へ移動可能に保持した内ケース１６と１７等が外ケース１５内に収納されて、開閉装置２０が構成されている。
【００３５】
つまり、本発明の開閉装置２０においては、電子機器に固着される壁部１５Ａは外ケース１５に、可動体１３を軸線方向へ移動可能に保持する溝部１６Ａと１７Ａ等は内ケース１６と１７に設けられているため、外ケース１５及び内ケース１６や１７が、各々金属板のプレス加工等によって製作が可能な、簡素な構造となっている。
【００３６】
また、このように構成された開閉装置２０は、例えば、図４の携帯電話の斜視図に示すように、固定体１の固定部１Ａが上面に複数のキーからなる操作部２２Ａやマイクロフォン等の音声入力部２２Ｂが形成された固定筐体２２へ、外ケース１５の壁部１５Ａが、表面にＬＣＤ等の表示部２３Ａやスピーカ等の音声出力部２３Ｂが形成された可動筐体２３へ各々固着され、開閉装置２０によって固定筐体２２に対して可動筐体２３が開閉可能に軸支されて電子機器が構成される。
【００３７】
以上の構成において、図１に示したように、可動カム１４の先端が固定カム２下側の傾斜部２Ｂへ弾接した状態では、可動体１３がばね６によって下方向の閉方向へ付勢されているため、外ケース１５が固着された可動筐体２３は、固定筐体２２に対して閉じた状態で保持されている。
【００３８】
そして、この閉状態から、可動筐体２３を手で開くと、可動筐体２３に固着された外ケース１５を介して、突起１３Ａを溝部１６Ａと１７Ａに挿入した可動体１３が、内ケース１６と１７内を右方向へ移動すると共に、上方向へ回転する。
【００３９】
なお、この時、突起１３Ａや溝部１６Ａ、１７Ａが軸線方向に対し傾斜して設けられているため、軸線方向に平行に設けられている場合に比べ、可動体１３の回転方向への移動は大きなものとなる。
【００４０】
そして、可動カム１４先端が固定カム２の突出部２Ａを超えて上側の傾斜部２Ｃへ弾接し、可動体１３が上方向の開方向へ付勢されて、外ケース１５が固着された可動筐体２３は開いた状態となる。
【００４１】
つまり、可動筐体２３に固着された外ケース１５を回転させることによって、可動体１３を軸線方向へ移動させ、可動カム１４先端を固定カム２の傾斜部２Ｂまたは２Ｃのいずれかへ弾接させて、固定筐体２２に対する可動筐体２３の開閉操作が行われるように構成されている。
【００４２】
このように本実施の形態によれば、固定体１や可動体１３を収納した外ケース１５内に内ケース１６と１７を装着すると共に、この内ケース１６と１７に可動体１３を軸線方向へ移動可能に保持する溝部１６Ａと１７Ａを設けて開閉装置を構成することによって、外ケース１５及び内ケース１６や１７が簡素な構造となり、鋼や銅合金等の金属板のプレス加工等による製作が可能となるため、部品加工が容易で安価な開閉装置を得ることができるものである。
【００４３】
また、内ケース１６と１７の溝部１６Ａと１７Ａを軸線方向に対し傾斜させて設けることによって、可動体１３の回転方向への移動を大きくすることができるため、開閉装置の開閉角度を大きなものとすることができる。
【００４４】
さらに、外ケース１５や内ケース１６、１７に、各々凹部１５Ｂや凸部１６Ｂ、１６Ｃ、１７Ｂ、１７Ｃ等を設け、これらによって外ケース１５に内ケース１６と１７を固着することによって、外ケース１５に対して内ケース１６や１７を、軸線及び回転方向のガタツキ等がなく簡便に装着することができる。
【００４５】
なお、以上の説明では、外ケース１５への挿入装着を容易にするため、内ケース１６と１７の二つの内ケースを設ける構成として説明したが、内ケース１６と１７を一体に形成し、この一つの内ケースを外ケース１５内へ装着する構成としても、本発明の実施は可能である。
【産業上の利用可能性】
【００４６】
本発明による開閉装置は、部品加工が容易で安価なものを得ることができ、各種電子機器に使用される開閉装置として有用である。
【図面の簡単な説明】
【００４７】
【図１】本発明の一実施の形態による開閉装置の断面図
【図２】同分解斜視図
【図３】同部分斜視図
【図４】携帯電話の斜視図
【図５】従来の開閉装置の断面図
【図６】同分解斜視図
【符号の説明】
【００４８】
１  固定体
１Ａ  固定部
２  固定カム
２Ａ  突出部
２Ｂ、２Ｃ  傾斜部
６  ばね
７  固定軸
８  止め輪
１３  可動体
１３Ａ  突起
１４  可動カム
１５  外ケース
１５Ａ  壁部
１５Ｂ  凹部
１６、１７  内ケース
１６Ａ、１７Ａ  溝部
１６Ｂ、１６Ｃ、１７Ｂ、１７Ｃ  凸部
２０  開閉装置
２２  固定筐体
２２Ａ  操作部
２２Ｂ  音声入力部
２３  可動筐体
２３Ａ  表示部
２３Ｂ  音声出力部
【図１】
2005163885.tif 000003
【図２】
2005163885.tif 000004
【図３】
2005163885.tif 000005
【図４】
2005163885.tif 000006
【図５】
2005163885.tif 000007
【図６】
2005163885.tif 000008